(57)【特許請求の範囲】
【請求項１】
木および（または）竹を粉砕した粉材に合成樹脂製ペレットからなる結合材を混入した混合材を、押し出し成型して作成されたパネルであって、
前記パネルが、
押し出し成形時における押し出し方向に延び、かつ前記押し出し方向に直交する幅方向において一定の幅を有する平坦な戸板と、該戸板の幅方向における両端縁部において、前記押し出し方向に延びる左右一対の縦かまちと、前記戸板の幅方向における中央部に、前記押し出し方向に延びる目板とが一体となって押し出し成型されたものであり、
前記戸板および目板の前記押し出し方向における両端縁部が欠削されて前記左右一対の縦かまちにおける前記押し出し方向における両端部がいずれもほぞに形成されている
ことを特徴とする建築用パネル。
【請求項２】
前記縦かまちに、幅方向に貫通した複数の固定用孔が前記押し出し方向に沿って間隔をあけて、形成されている
ことを特徴とする請求項１記載の建築用パネル。
【請求項３】
前記戸板に、発泡断熱材が層状に形成された
ことを特徴とする請求項１記載の建築用パネル。
【請求項４】
前記一対の縦かまちおよび目板が互いに対向する側面に、前記押し出し方向に沿って板取付溝が形成され、
該一対の板取付溝に、補強板が挿入され、
該補強板と前記戸板との間に、前記発泡断熱材が充填された
ことを特徴とする請求項３記載の建築用パネル。
【発明の詳細な説明】
【０００１】
【発明の属する技術分野】
本発明は、建築用パネルに関する。
【０００２】
【従来の技術】
パネル工法に用いられる建築用パネルとして、例えば、実用新案登録第３０００６２７号公報記載の竹製パネルＡがある。図１２は従来の竹製パネルＡの概略斜視図である。同図に示すように、この竹製パネルＡは、せき板101 、枠体102 およびさん材103 を備えており、竹材のチップに接着剤を混入した混合材を高温高圧でプレス成型により一体成型したものである。枠体102 には、竹製パネルＡを連結するための固定用孔105 が形成されている。このため、この竹製パネルＡは、強度的に優れ、軽量かつ安価で、組立が容易である。
【０００３】
【発明が解決しようとする課題】
しかるに、従来の竹製パネルＡを製造するには、まず、せき板101 、枠体102 およびさん材103 を別々に作成してから、これらをプレス成型により一体成型しなければならない。かかる製造方法は、バッチ製作なので、竹製パネルＡの製造効率が悪いという問題がある。
一方、間伐材や製材の切り落とし等の建築廃木材ならびに農業用のフィルムマルチやビニルトンネル等として使用済みの廃ビニルフィルムが大量に廃棄されており、深刻なごみ問題となっている。このため、前記建築廃棄物や廃ビニルフィルムを再利用する技術が望まれている。
【０００４】
本発明はかかる事情に鑑み、建築廃木材や廃ビニルフィルムを再利用でき、強度に優れ、軽量かつ安価で、しかも連続して効率的に製造できる建築用パネルを提供することを目的とする。
【０００５】
【課題を解決するための手段】
請求項１の建築用パネルは、木および（または）竹を粉砕した粉材に合成樹脂製ペレットからなる結合材を混入した混合材を、押し出し成型して作成されたパネルであって、前記パネルが、押し出し成形時における押し出し方向に延び、かつ前記押し出し方向に直交する幅方向において一定の幅を有する平坦な戸板と、該戸板の幅方向における両端縁部において、前記押し出し方向に延びる左右一対の縦かまちと、前記戸板の幅方向における中央部に、前記押し出し方向に延びる目板とが一体となって押し出し成型されたものであり、前記戸板および目板の前記押し出し方向における両端縁部が欠削されて前記左右一対の縦かまちにおける前記押し出し方向における両端部がいずれもほぞに形成されていることを特徴とする。
請求項２の建築用パネルは、請求項１記載の発明において、前記縦かまちに、幅方向に貫通した複数の固定用孔が前記押し出し方向に沿って間隔をあけて、形成されていることを特徴とする。
請求項３の建築用パネルは、請求項１の発明において、前記戸板に、発泡断熱材が層状に形成された
ことを特徴とする。
請求項４の建築用パネルは、請求項３記載の発明において、前記一対の縦かまちおよび目板が互いに対向する側面に、前記押し出し方向に沿って板取付溝が形成され、該一対の板取付溝に、補強板が挿入され、該補強板と前記戸板との間に、前記発泡断熱材が充填されたことを特徴とする。
【０００６】
請求項１の発明によれば、素材が、木および（または）竹の粉材を用いたものであるから軽量かつ安価に製造できる。しかも、押し出し成型によって製造するから連続して効率的に製造できる。また、戸板、左右一対の縦かまちおよび目板が一体となって押し出し成型をされたものであるから、強度に優れている。さらに、左右一対の縦かまちにおける両端部がほぞとなっているから、このほぞを水平な梁のほぞ孔に嵌合すれば建築用パネルを立てた状態で梁に簡単に取り付けることができる。
請求項２の発明によれば、複数の建築用パネルの縦かまち同士を突合わせて、重なった両方の縦かまちの固定用孔にボルトを連通して、このボルトをナットで締め付ければ、隣接する建築用パネル同士を幅方向に連続して固定することができる。
請求項３の発明によれば、発泡断熱材の層により、室内の温度を一定に保つことができ、しかも、防音効果が高い。
請求項４の発明によれば、補強板によって強度が増すとともに、戸板と補強板との間の隙間に、発泡断熱材を充填すれば、発泡断熱材の層を簡単に形成させることができる。
【０００７】
【発明の実施の形態】
つぎに、本発明の実施形態を図面に基づき説明する。
図１は本実施形態の建築用パネル１の概略斜視図である。図２は本実施形態の建築用パネル１の単体図であって、(A) は平面図、(B) は正面図、(C) は側面図である。図１〜２に示すように、本実施形態の建築用パネル１は、パネル本体１０、補強板２０および発泡断熱材３０から構成されたものである。
【０００８】
まず、パネル本体１０を説明する。
パネル本体１０は、戸板１１、一対の縦かまち１２，１２および目板１３から構成されたものである。戸板１１、一対の縦かまち１２，１２および目板１３は一体ものであり、木および（または）竹の粉末に結合材を混入した混合材が押し出されて成型されたものであるが、詳細は後述する。
【０００９】
パネル本体１０を構成する戸板１１は、押し出し成型時の押し出し方向（符号Ａで示す。なお、図５のＡ方向と同じ）に延びた長方形状の平板部分である。すなわち、押し出し方向に直交する幅方向において一定の幅を有する平坦な板材である。この戸板１１の幅方向における両端縁部には、左右一対の縦かまち１２，１２が戸板１１の押し出し方向に延びて形成されている。
各縦かまち１２の内側には、その押し出し方向に沿って、板取付溝12h が形成されている。また、各縦かまち１２の外側には、その押し出し方向に沿って、パッキン用溝12g が形成されている。さらに、各縦かまち１２には、幅方向に貫通した複数の固定用孔１４が前記押し出し方向において等間隔に形成されている。
【００１０】
前記戸板１１の幅方向における中央部には、前記押し出し方向に延びる目板１３が形成されている。この目板１３の左右両側には、その押し出し方向に沿って、一対の板取付溝13h ,13h が形成されている。各溝13h は、前記溝12h に対応して形成されたものである。
【００１１】
前記戸板１１および目板１３の前記押し出し方向における両端縁は欠削されており、前記左右一対の縦かまち１２における前記押し出し方向における両端部が、いずれもほぞを形成している。
【００１２】
つぎに、補強板２０を説明する。
前記目板１３の左右両側において、各縦かまち１２の板取付溝12h と目板１３の板取付溝13h との間には、左右一対の補強板２０，２０がそれぞれ差し込まれている。各補強板２０は、例えばいわゆるベニヤ板等の合板が好適である。
【００１３】
つぎに、発泡断熱材３０を説明する。
補強板２０と戸板１１との間の空間には、発泡断熱材３０が充填されており、発泡断熱材３０が層状に形成されている。この発泡断熱材３０の素材は、例えば、ノンフロン系発泡断熱材や発泡ウレタンであると、断熱性に優れ発泡材なので防音性も優れたものとなる。
【００１４】
つぎに、本実施形態の建築用パネル１の製造工程を説明する。
図３は本実施形態の建築用パネル１を製造する工程を示すフローチャートである。同図において、符号Ａ，Ｂはそれぞれ粉材および結合材を示している。
粉材Ａは、廃棄されるもしくは廃棄された建築廃材、間伐材、製材の切り落とし等の木および（または）竹を、1.0 〜5.0 mmに細かく粉砕した粉末である。
結合材Ｂは、廃棄されるもしくは廃棄された塩化ビニル等の合成樹脂製の農業用廃ビニールをペレット状にしたものである。
つまり、本実施形態の建築用パネル１の素材は、廃棄される建築廃木材および廃ビニルフィルムなので、これらの廃棄物を再利用でき、この結果、ごみ問題を解消することができるという効果を奏する。
なお、結合材Ｂとして、イソシアナート系接着剤を添加してもよく、この場合、防災効果が高くなるので好適である。
【００１５】
まず、混合工程１Ｐを説明する。
前記粉材Ａおよび前記結合材Ｂを、６：４の割合で混合して(1P)、混合材とする。
【００１６】
つぎに、押出成形工程２Ｐを説明する。
図４は押出成型工程２Ｐで用いる押出しダイ５０の概略斜視図である。同図に示すように、この押出しダイ５０は、ダイ本体５１にダイ孔５２が形成されたものである。この押出しダイ５０を用いて、前記混合材を押出成型する(2P)。
【００１７】
図５は押出成型工程２Ｐの説明図である。同図に示すように、押出しダイ５０から混合材を押し出すと、押出しダイ５０の出口５２から連続して混合材が押し出される。符号Ａは押出し方向を示している。
【００１８】
つぎに、切断工程３Ｐを説明する。
図６はパネル本体１０の単体図であって、(A) は平面図、(B) は正面図、(C) は側面図である。図６に示すように、押し出された混合材をカッターや電動ノコギリなどによって切断する(3P)。
【００１９】
図７はパネル本体１０の概略斜視図である。同図に示すように、切断(図３の3P)された直後のパネル本体１０は、戸板１１、左右一対の縦かまち１２および目板１３の押し出し方向における長さは、同一である。各縦かまち１２の内側には、その押し出し方向に沿って、板取付溝12h が形成されている。各縦かまち１２の外側には、その押し出し方向に沿って、パッキン用溝12g が形成されている。
つぎに、戸板１１および目板１３の押し出し方向における両端縁部を、例えば、丸鋸によって欠削する。すると、左右一対の縦かまち１２，１２における両端部が、いずれもほぞとして形成される。
【００２０】
さらに、例えば、ドリルによって、各縦かまち１２に、幅方向に貫通した複数の固定用孔１４を、押し出し方向に間隔をあけて、形成すれば、図１〜２に示すパネル本体１０を製造することができる。
このパネル本体１０は、戸板１１、左右一対の縦かまち１２，１２および目板１３が一体となって押し出し成型されたものであるから、連続して効率的に製造できるとともに、
強度に優れたものとなる。
【００２１】
つぎに、取付工程４Ｐを説明する。
各縦かまち１２の板取付溝12h と目板１３の板取付溝13h との間に、左右一対の補強板２０，２０をそれぞれ差し込んで、取り付ける(図３の4P)。一対の補強板２０，２０によって強度が増すのである。
【００２２】
つぎに、吹き付け工程５Ｐを説明する。
各補強板２０と戸板１１との間の空間に向けて、発泡断熱材３０を吹き付けて(図３の5P)、充填すれば、簡単に、戸板１１に発泡断熱材３０を層状に形成させることができるという効果を奏する。
このようにして、本実施形態の建築用パネル１を製造することができるのである。
【００２３】
つぎに、本実施形態の建築用パネル１の作用・効果を説明する。
図８は梁ＴＡに取り付けられた本実施形態の建築用パネル１の概略斜視図である。図９は施工される前の本実施形態の建築用パネル１の背面図である。図８〜９において、符号ＴＡ，ＴＢは、水平な梁を示しており、各梁ＴＡ，ＴＢには、いずれもその長手方向に間隔をもって、上下に貫通する複数のほぞ穴Ｔｈが形成されている。
なお、各梁ＴＡ，ＴＢに形成されているほぞ穴Ｔｈは、上下を貫通している必要はなく、途中まで形成したものでもよい。
【００２４】
図８に示すように、複数の本実施形態の建築用パネル１，１を、その縦かまち１２が垂直になるように立てて、隣接する両方の縦かまち１２，１２のパッキン用溝12g ，12g 間に、例えばゴム製のパッキンを挟み込んで、幅方向に重ね合わせる。そして、隣接する建築用パネル１，１の重なった両方の縦かまち１２，１２を梁ＴＡのほぞ穴Ｔｈに嵌合すれば、建築用パネル１を立てた状態で梁ＴＡに簡単に取り付けることができる。
【００２５】
そして、隣接する両方の縦かまち１２，１２における全ての固定用孔１４に、ワッシャ４２を介してボルト４１を通して、ナット４３で締め付ける。このようにして、隣接する建築用パネル１，１同士を幅方向に連続して固定することができる。
【００２６】
そして、隣接する建築用パネル１，１における両方の縦かまち１２，１２の上部を、梁ＴＢのほぞ穴Ｔｈに嵌合すれば、建築用パネル１を上下一対の梁ＴＡ，ＴＢ間に確実に固定させることができるのである。
【００２７】
図１０は施工された後の本実施形態の建築用パネル１の背面図である。図１１は施工された後の本実施形態の建築用パネル１の正面図である。図１０〜１１に示すように、建築用パネル１の前面下部には、金具Ｌによって梁ＴＡの前面上部が連結されている。
【００２８】
【発明の効果】
請求項１の発明によれば、素材が、木および（または）竹の粉材を用いたものであるから軽量かつ安価に製造できる。しかも、押し出し成型によって製造するから連続して効率的に製造できる。また、戸板、左右一対の縦かまちおよび目板が一体となって押し出し成型をされたものであるから、強度に優れている。さらに、左右一対の縦かまちにおける両端部がほぞとなっているから、このほぞを水平な梁のほぞ孔に嵌合すれば建築用パネルを立てた状態で梁に簡単に取り付けることができる。
請求項２の発明によれば、複数の建築用パネルの縦かまち同士を突合わせて、重なった両方の縦かまちの固定用孔にボルトを連通して、このボルトをナットで締め付ければ、隣接する建築用パネル同士を幅方向に連続して固定することができる。
請求項３の発明によれば、発泡断熱材の層により、室内の温度を一定に保つことができ、しかも、防音効果が高い。
請求項４の発明によれば、補強板によって強度が増すとともに、戸板と補強板との間の隙間に、発泡断熱材を充填すれば、発泡断熱材の層を簡単に形成させることができる。
【図面の簡単な説明】
【図１】    本実施形態の建築用パネル１の概略斜視図である。
【図２】    本実施形態の建築用パネル１の単体図であって、(A) は平面図、(B) は正面図、(C) は側面図である。
【図３】    本実施形態の建築用パネル１を製造する工程を示すフローチャートである。
【図４】    押出成型工程２Ｐで用いる押出しダイ５０の概略斜視図である。
【図５】    押出成型工程２Ｐの説明図である。
【図６】    パネル本体１０の単体図であって、(A) は平面図、(B) は正面図、(C) は側面図である。
【図７】    パネル本体１０の概略斜視図である。
【図８】    梁ＴＡに取り付けられた本実施形態の建築用パネル１の概略斜視図である。
【図９】    施工される前の本実施形態の建築用パネル１の背面図である。
【図１０】    施工された後の本実施形態の建築用パネル１の背面図である。
【図１１】    施工された後の本実施形態の建築用パネル１の正面図である。
【図１２】    従来の竹製パネルＡの概略斜視図である。
【符号の説明】
１    建築用パネル
１１    戸板
１２    縦かまち
１３    目板
１４    固定用孔
Ａ    粉材
Ｂ    結合材
【図１】
0003791885.tif 000002
【図２】
0003791885.tif 000003
【図３】
0003791885.tif 000004
【図４】
0003791885.tif 000005
【図５】
0003791885.tif 000006
【図６】
0003791885.tif 000007
【図７】
0003791885.tif 000008
【図８】
0003791885.tif 000009
【図９】
0003791885.tif 000010
【図１０】
0003791885.tif 000011
【図１１】
0003791885.tif 000012
【図１２】
0003791885.tif 000013